(57)【要約】  デジタルスチルカメラやビデオカメラ等に好適な、コンパクトながら高変倍比を有したズームレンズ及び撮像装置を提供する。５つのレンズ群を有するズームレンズにおいて、以下の条件式を満たす。  （Ｔ２＋Ｔ３）／ｆＷ＜２．５８      （１）  ｆＴ／ｆＷ＞１６．７但し、Ｔ２：第２レンズ群の最も物体側のレンズ面から最も像側のレンズ面までの光軸上の厚み（ｍｍ）Ｔ３：第３レンズ群の最も物体側のレンズ面から最も像側のレンズ面までの光軸上の厚み（ｍｍ）ｆＷ：ズームレンズの広角端における焦点距離（ｍｍ）ｆＴ：ズームレンズの望遠端における焦点距離（ｍｍ）
2014115470.tif 000002
【特許請求の範囲】
【請求項１】
物体側より像側へ順に、正の屈折力を有する第１レンズ群と、負の屈折力を有する第２レンズ群と、絞りと正の屈折力を有する第３レンズ群と、負の屈折力を有する第４レンズ群と、正の屈折力を有する第５レンズ群から構成され、各レンズ群の間隔を変化させることにより変倍を行うズームレンズであって、以下の条件式を満たすことを特徴とするズームレンズ。
（Ｔ２＋Ｔ３）／ｆＷ＜２．５８      （１）
ｆＴ／ｆＷ＞１６．７
但し、
Ｔ２：前記第２レンズ群の最も物体側のレンズ面から最も像側のレンズ面までの光軸上の厚み（ｍｍ）
Ｔ３：前記第３レンズ群の最も物体側のレンズ面から最も像側のレンズ面までの光軸上の厚み（ｍｍ）
ｆＷ：前記ズームレンズの広角端における焦点距離（ｍｍ）
ｆＴ：前記ズームレンズの望遠端における焦点距離（ｍｍ）
【請求項２】
以下の条件式を満足することを特徴とする請求項１に記載のズームレンズ。
１．０＜（β２ｔ／β２ｗ）／（β３ｔ／β３ｗ）＜３．０      （２）
但し、
β２ｔ：前記第２レンズ群の望遠端における横倍率
β２ｗ：前記第２レンズ群の広角端における横倍率
β３ｔ：前記第３レンズ群の望遠端における横倍率
β３ｗ：前記第３レンズ群の広角端における横倍率
【請求項３】
以下の条件式を満足することを特徴とする請求項１または２に記載のズームレンズ。
０．４＜｜ｆ２／ｆ３｜＜０．８      （３）
ｆ２：前記第２レンズ群の焦点距離（ｍｍ）
ｆ３：前記第３レンズ群の焦点距離（ｍｍ）
【請求項４】
以下の条件式を満足することを特徴とする請求項１〜３のいずれかに記載のズームレンズ。
１．０＜ｆ１／√（ｆＷ×ｆＴ）＜２．１      （４）
但し、
ｆ１：前記第１レンズ群の焦点距離（ｍｍ）
【請求項５】
以下の条件式を満足することを特徴とする請求項１〜４のいずれかに記載のズームレンズ。
０．１＜Ｔ１／√（ｆＷ×ｆＴ）＜０．３５      （５）
但し、
Ｔ１：前記第１レンズ群の最も物体側のレンズ面から最も像側のレンズ面までの光軸上の厚み（ｍｍ）
【請求項６】
以下の条件式を満足することを特徴とする請求項１〜５のいずれかに記載のズームレンズ。
０．１＜Ｔ３／√（ｆＷ×ｆＴ）＜０．３５      （６）
【請求項７】
前記第１レンズ群、前記第２レンズ群、前記第３レンズ群のうち、少なくとも２つのレンズ群の各群の少なくとも一つのレンズは、下記の条件式を満足することを特徴とする請求項１〜６のいずれかに記載のズームレンズ。
ｎｄ＞１．９      （７）
但し、
ｎｄ：各群に含まれるレンズのｄ線に対する屈折率
【請求項８】
前記第３レンズ群は少なくとも一つ以上の正レンズと負レンズの接合レンズを有し、以下の条件式を満足することを特徴とする請求項１〜７のいずれかに記載のズームレンズ。
νｄ３ｐ−νｄ３ｎ＞２７      （８）
但し、
νｄ３ｐ：前記第３レンズ群に含まれる接合レンズの正レンズのアッベ数
νｄ３ｎ：前記第３レンズ群に含まれる接合レンズの負レンズのアッベ数
【請求項９】
前記第３レンズ群は物体側から順に、絞り、正レンズ、正レンズと負レンズの接合レンズ、正レンズからなることを特徴とする請求項１〜８のいずれかに記載のズームレンズ。
【請求項１０】
前記第１レンズ群は３枚以上のレンズから構成され、少なくとも一つ以上の正レンズと負レンズの接合レンズを有し、以下の条件式を満足することを特徴とする請求項１〜９のいずれかに記載のズームレンズ。
νｄ１ｐ−νｄ１ｎ＞４５      （９）
但し、
νｄ１ｐ：前記第１レンズ群に含まれる接合レンズの正レンズのアッベ数
νｄ１ｎ：前記第１レンズ群に含まれる接合レンズの負レンズのアッベ数
【請求項１１】
前記第２レンズ群は物体側から順に、負レンズ、負レンズ、正レンズから構成され、少なくとも一つの面に非球面を有することを特徴とする請求項１〜１０のいずれかに記載のズームレンズ。
【請求項１２】
第２レンズ群または第３レンズ群を光軸直交方向に移動することにより、像ブレを補正することを特徴とする請求項１〜１１のいずれかに記載のズームレンズ。
【請求項１３】
前記第４レンズ群は１枚の負レンズから構成され、少なくとも一つの非球面を有することを特徴とする請求項１〜１２のいずれかに記載のズームレンズ。
【請求項１４】
最も像面側のレンズ群は、プラスチックから形成された一枚の正レンズからなり、少なくとも一つの非球面を有することを特徴とする請求項１〜１３のいずれかに記載のズームレンズ。
【請求項１５】
実質的にパワーを有しないレンズを有することを特徴とする請求項１〜１４のいずれかに記載のズームレンズ。
【請求項１６】
請求項１〜１５のいずれかに記載のズームレンズを有することを特徴とする撮像装置。
【発明の詳細な説明】
【技術分野】
【０００１】
本発明は、デジタルスチルカメラ、ビデオカメラ等に用いられる、小型で高変倍のズームレンズに関する。
【背景技術】
【０００２】
近年、ＣＣＤ(Charge Coupled Device)型イメージセンサあるいはＣＭＯＳ(Complementary Metal Oxide Semiconductor)型イメージセンサ等の撮像素子の高集積化、小型化が図られてきており、これに伴ってＣＣＤやＣＭＯＳを用いたデジタルスチルカメラやビデオカメラ等の撮像装置においては、高機能化と共に装置全体としての小型化が求められている。【０００３】
また、デジタルスチルカメラ等は、その一般化に伴い使用されるシチュエーションも広がってきている。このため、デジタルスチルカメラ等は更なる携帯性の向上、即ち小型化及び軽量化が図られているから、それに搭載するズームレンズも更なる小型化が求められている。さらに撮影領域を広げると言う観点から変倍比が１０倍を超えるズームレンズが一般化してきており、更なる高変倍化が期待されている。【０００４】
このような高変倍でコンパクトなズームレンズとして、正負正負正（物体側から順に、正の屈折力を有するレンズ、負の屈折力を有するレンズ、正の屈折力を有するレンズ、負の屈折力を有するレンズ、正の屈折力を有するレンズが配置された構成をいう、以下同じ）の５群タイプのズームレンズが知られている（以下の特許文献参照）。
【先行技術文献】
【特許文献】
【０００５】
【特許文献ｌ】特開２０１１−１８６４１７号公報
【特許文献１】特開２０１２−００８６０１号公報
【特許文献２】特開２０１２−０４８１９９号公報
【特許文献３】特開２０１２−２４７５６４号公報
【発明の概要】
【発明が解決しようとする課題】
【０００６】
しかるに、特許文献１のズームレンズによれば、１０倍以上の高変倍を得ることが可能となっているが、良好な光学性能を得るためにレンズ枚数が多くなり、コスト高を招いている。【０００７】
次に、特許文献２のズームレンズによれば、特許文献１のものと同様に、１０倍以上の高変倍を得ることが可能となっているが、レンズ枚数が多いことに加え、さらに絞りを可動させているため、駆動機構が複雑化し大型化している。加えて、２群、３群のレンズが比較的光軸方向厚みがあるので、コンパクトなズームレンズとは言いがたい。これに対し、２群、３群のレンズを薄くしようとすると、収差など光学的特性が劣化しやすくなるが、これを適切に補正しようとするとレンズ枚数の増大を招き、それにより２群、３群のレンズが厚くなってしまう恐れがある。【０００８】
一方、特許文献３のズームレンズによれば、１５倍程度以上の高変倍で小型化が可能となっているが、特許文献１と同様にレンズ枚数が多く、高コストとなってしまっている。加えて、２群、３群のレンズが比較的光軸方向厚みがあるので、コンパクトなズームレンズとは言いがたく、またデジタルスチルカメラ等に搭載した状態でズームレンズを沈胴させたような場合、沈胴時の厚みも大きくなるので小型化が損なわれる。【０００９】
又、特許文献４のズームレンズによれば、１５倍程度以上の高変倍が可能となっており小型化を達成することができているが、良好な光学性能の確保のために２群、３群のレンズの厚みを厚くしているので、コンパクトなズームレンズとは言いがたく、また沈胴可能なズームレンズの場合、沈胴時の厚みも大きくなる。【００１０】
本発明は、かかる問題に鑑みてなされたものであり、デジタルスチルカメラやビデオカメラ等に好適な、コンパクトながら高変倍比を有したズームレンズ及び撮像装置を提供することを目的とする。
【課題を解決するための手段】
【００１１】
請求項１に記載のズームレンズは、物体側より像側へ順に、正の屈折力を有する第１レンズ群と、負の屈折力を有する第２レンズ群と、絞りと正の屈折力を有する第３レンズ群と、負の屈折力を有する第４レンズ群と、正の屈折力を有する第５レンズ群から構成され、各レンズ群の間隔を変化させることにより変倍を行うズームレンズであって、以下の条件式を満たすことを特徴とする。
（Ｔ２＋Ｔ３）／ｆＷ＜２．５８      （１）
ｆＴ／ｆＷ＞１６．７
但し、
Ｔ２：前記第２レンズ群の最も物体側のレンズ面から最も像側のレンズ面までの光軸上の厚み（ｍｍ）
Ｔ３：前記第３レンズ群の最も物体側のレンズ面から最も像側のレンズ面までの光軸上の厚み（ｍｍ）
ｆＷ：前記ズームレンズの広角端における焦点距離（ｍｍ）
ｆＴ：前記ズームレンズの望遠端における焦点距離（ｍｍ）【００１２】
ズームレンズ全系を物体側より像側へ順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とから構成し、各レンズ群の間隔を変化させることにより、高変倍での良好な光学性能を得ることができる。更に、各レンズ群の空気間隔を変化させるように、各レンズ群を光軸方向に移動して変倍及び焦点位置変化補正を行うことにより、収差補正の自由度が増え、良好な光学性能を維持しながら、全長及び前玉径をコンパクト化しつつも高変倍を確保することが可能となる。【００１３】
また、第３レンズ群に絞りを有することにより、射出瞳位置を撮像素子から遠ざけることができるので、撮像素子がＣＣＤやＣＭＯＳの場合に必要となってくるテレセントリック性を確保しやすくなり、さらに入射瞳位置をより物体側に位置させることができるので、前玉径と後玉径の小型化を実現することができる。【００１４】
ここで、倍率比ｆＴ／ｆＷが１６．７以上の高変倍なズームレンズにおいて、条件式（１）の値が上限以上に大きくなってしまうと、第２レンズ群と第３レンズ群の総厚が大きくなってしまい、ズームレンズの有効径・全長が大きくなってしまう。また総厚が大きくなるとレンズが重くなり、レンズを可動するための機構が複雑化・大型化してしまう。本発明によれば、条件式（１）を満たす設計とすることで、ズームレンズの小型化が可能となる。尚、以下の式を満たすとより好ましい。条件式（１’）の値が下限を上回ることで、収差などの光学特性を良好に確保するのに有利になる。又、条件式（１’）の値が上限を下回ることで、より小型のズームレンズを提供できる。
１．８＜（Ｔ２＋Ｔ３）／ｆＷ＜２．５８      （１’）【００１５】
請求項２に記載のズームレンズは、請求項１に記載の発明において、以下の条件式を満足することを特徴とする。
１．０＜（β２ｔ／β２ｗ）／（β３ｔ／β３ｗ）＜３．０      （２）
但し、
β２ｔ：前記第２レンズ群の望遠端における横倍率
β２ｗ：前記第２レンズ群の広角端における横倍率
β３ｔ：前記第３レンズ群の望遠端における横倍率
β３ｗ：前記第３レンズ群の広角端における横倍率【００１６】
条件式（２）の値が上限を下回ることで、第２レンズ群の横倍率の比が大きくなりすぎず、第２レンズ群による変倍作用が大きくなりすぎることがない。このため、第２レンズ群の移動量を抑えることができるからズームレンズを小型化できるか、或いは第２レンズ群のパワーが強くなりすぎないようにできるから第２レンズ群で発生する収差を補正することが容易となる。また、条件式（２）の値が下限を上回ることで、第２レンズ群の横倍率の比が小さくなりすぎず、第３レンズ群による変倍作用が大きくなりすぎることがない。このため、第３レンズ群の移動量を抑えることができるからズームレンズを小型化できるか、或いは第３レンズ群のパワーが強くなりすぎないようにできるから第３レンズ群で発生する収差を補正することが容易となる。つまり、条件式（２）を満たすことにより、高変倍を得る際の変倍作用を第２レンズ群と第３レンズ群に分担することができ、良好な光学性能の確保とズームレンズの小型化が可能となる。尚、以下の式を満たすと更に好ましい。
１．１＜（β２ｔ／β２ｗ）／（β３ｔ／β３ｗ）＜２．８      （２’）【００１７】
請求項３に記載のズームレンズは、請求項１又は２に記載の発明において、以下の条件式を満足することを特徴とする。
０．４＜｜ｆ２／ｆ３｜＜０．８      （３）
ｆ２：前記第２レンズ群の焦点距離（ｍｍ）
ｆ３：前記第３レンズ群の焦点距離（ｍｍ）【００１８】
条件式（３）の値が上限を下回ることで、第２レンズ群のパワーが弱くなりすぎず、変倍を確保するために第２レンズ群の移動量を大きくする必要がなくなり、ズームレンズ全長の小型化を可能とする。また、条件式（３）の値が下限を上回ることで、第２レンズ群のパワーが強くなりすぎず、コマ収差や非点収差、像面湾曲等の諸収差が良好で、優れた光学性能を確保することができる。また、第２レンズ群を鏡胴への組み込む際に、レンズ群としての偏芯誤差に対する収差変動が大きくなりすぎず、量産性が良好となる。つまり、条件式（３）を満たすことにより、有効径・全長の小型化と良好な性能を確保できると共に、量産性を向上させることができる。尚、以下の式を満たすと更に好ましい。
０．５５＜｜ｆ２／ｆ３｜＜０．７５      （３’）【００１９】
請求項４に記載のズームレンズは、請求項１〜３のいずれかに記載の発明において、以下の条件式を満足することを特徴とする。
１．０＜ｆ１／√（ｆＷ×ｆＴ）＜２．１      （４）
但し、
ｆ１：前記第１レンズ群の焦点距離（ｍｍ）【００２０】
条件式（４）の値が上限を下回ることで、第１レンズ群のパワーが弱くなりすぎず、ズームレンズの有効径や全長を小さくできる。一方、条件式（４）の値が下限を上回ることで、第１レンズ群のパワーが強くなりすぎず、主に広角端の軸外光束で発生するコマ収差や非点収差、像面湾曲や倍率色収差、望遠端で発生する球面収差、軸上色収差を良好に補正することが可能になる。つまり、条件式（４）を満たすことにより、ズームレンズの小型化と、良好な光学性能を確保することが可能となる。尚、以下の式を満たすと更に好ましい。
１．８＜ｆ１／√（ｆＷ×ｆＴ）＜２．１      （４’）【００２１】
請求項５に記載のズームレンズは、請求項１〜４のいずれかに記載の発明において、以下の条件式を満足することを特徴とする。
０．１＜Ｔ１／√（ｆＷ×ｆＴ）＜０．３５      （５）
但し、
Ｔ１：前記第１レンズ群の最も物体側のレンズ面から最も像側のレンズ面までの光軸上の厚み（ｍｍ）【００２２】
条件式（５）の値が上限を下回ることで、第１レンズ群の総厚が大きくなりすぎず、ズームレンズの有効径・全長を小さくできる。また、第１レンズ群の総厚が大きくなりすぎないので、第１レンズ群を駆動させるための機構が複雑化・大型化することを回避できる。一方、条件式（５）の値が下限を上回ることで、各レンズの縁厚の確保が可能になり、加工が容易になる。つまり、条件式（５）を満たすことにより、ズームレンズの小型化と、良好な生産性を確保することが可能となる。尚、以下の式を満たすと更に好ましい。
０．２５＜Ｔ１／√（ｆＷ×ｆＴ）＜０．３５      （５’）【００２３】
請求項６に記載のズームレンズは、請求項１〜５のいずれかに記載の発明において、以下の条件式を満足することを特徴とする。
０．１＜Ｔ３／√（ｆＷ×ｆＴ）＜０．３５      （６）【００２４】
条件式（６）の値が上限を下回ることで、第３レンズ群の総厚が大きくなりすぎず、ズームレンズの全長を短くできる。また、第３レンズ群の総厚が大きくなりすぎないので、第３レンズ群を駆動させるための機構が複雑化・大型化することを回避できる。一方、条件式（６）の値が下限を上回ることで、各レンズの縁厚の確保が可能になり、加工が容易になる。つまり、条件式（６）を満たすことにより、ズームレンズの小型化と良好な生産性を確保することが可能となる。尚、以下の式を満たすと更に好ましい。
０．２＜Ｔ３／√（ｆＷ×ｆＴ）＜０．３２      （６’）【００２５】
請求項７に記載のズームレンズは、請求項１〜６のいずれかに記載の発明において、前記第１レンズ群、前記第２レンズ群、前記第３レンズ群のうち、少なくとも２つのレンズ群の各群の少なくとも一つのレンズは、下記の条件式を満足することを特徴とする。
ｎｄ＞１．９      （７）
但し、
ｎｄ：各群に含まれるレンズのｄ線に対する屈折率【００２６】
第１レンズ群、第２レンズ群、第３レンズ群のうち、少なくとも２つのレンズ群の各群の少なくとも一つのレンズが、条件式（７）を満たすようにすることにより、かかるレンズを含む各群のパワーを強くしやすくなり、各群の移動量を小さくすることができるので、ズームレンズ全体を小型化することが可能となる。また、条件式（７）を満たすレンズを使用することにより、レンズの曲率半径を緩くすることが可能となるので、諸収差の発生を抑制し良好な光学性能を確保することが可能となる。また曲率半径が緩くなることにより、鏡胴への組込み時の偏芯誤差に対する収差変動を抑えることが可能となる。更に、条件式（７）を満たすレンズを使用することにより、ズームレンズの小型化と良好な光学性能を確保すると共に、量産性を向上させることができる。【００２７】
請求項８に記載のズームレンズは、請求項１〜７のいずれかに記載の発明において、前記第３レンズ群は少なくとも一つ以上の正レンズと負レンズの接合レンズを有し、以下の条件式を満足することを特徴とする。
νｄ３ｐ−νｄ３ｎ＞２７      （８）
但し、
νｄ３ｐ：前記第３レンズ群に含まれる接合レンズの正レンズのアッベ数
νｄ３ｎ：前記第３レンズ群に含まれる接合レンズの負レンズのアッベ数【００２８】
第３レンズ群に少なくとも一つ以上の正レンズと負レンズの接合レンズを含むことにより、第３レンズ群で発生する軸上色収差を良好に補正することが可能となる。また、接合レンズとすることにより、正レンズ、負レンズを個々に配置する場合に比べ鏡胴への組み込み時のレンズ間隔誤差や偏芯誤差要因を減らすことができ、生産性を向上させることが可能となる。また、条件式（８）の値が下限を上回ることで、第３レンズ群で発生する軸上色収差を良好に補正することが可能となる。具体的には、ｇ線が、よりオーバー側に位置するような軸上色収差を確保できるので、良好な光学性能を確保することができる。尚、以下の式を満たすと更に好ましい。
νｄ３ｐ−νｄ３ｎ＞４５      （８’）【００２９】
請求項９に記載のズームレンズは、請求項１〜８のいずれかに記載の発明において、前記第３レンズ群は物体側から順に、絞り、正レンズ、正レンズと負レンズの接合レンズ、正レンズからなることを特徴とする。【００３０】
第３レンズ群を物体側から、絞り、正レンズ、正レンズと負レンズの接合レンズ、正レンズという構成にすることにより、球面収差、コマ収差、非点収差等の諸収差を補正し、良好な光学性能を確保することが可能となる。また、絞りを第３レンズ群の最も物体側に位置させることにより、射出瞳位置を撮像素子から遠ざけることが可能となるので、撮像素子がＣＣＤやＣＭＯＳの場合に必要となってくるテレセントリック性を確保しやすくなる。また、入射瞳位置を像側に位置させることにより、前玉有効径を小さくすることが可能となる。つまり、第３レンズ群を絞り、正レンズ、正レンズと負レンズの接合レンズ、正レンズの構成とすることで、ズームレンズの小型化と良好な光学性能の確保を実現することが可能となる。【００３１】
請求項１０に記載のズームレンズは、請求項１〜９のいずれかに記載の発明において、前記第１レンズ群は３枚以上のレンズから構成され、少なくとも一つ以上の正レンズと負レンズの接合レンズを有し、以下の条件式を満足することを特徴とする。
νｄ１ｐ−νｄ１ｎ＞４５      （９）
但し、
νｄ１ｐ：前記第１レンズ群に含まれる接合レンズの正レンズのアッベ数
νｄ１ｎ：前記第１レンズ群に含まれる接合レンズの負レンズのアッベ数【００３２】
第１レンズ群を３枚以上のレンズで構成することにより、望遠端での軸上色収差、球面収差、広角端での軸外光束におけるコマ収差や非点収差、像面湾曲を抑えることが可能となる。また正負の接合レンズを使用することにより主に望遠端で発生する軸上色収差や、広角端での軸外光束による倍率色収差を補正することが可能となる。具体的には、条件式（９）の値が下限を上回ると、ｇ線が、よりオーバー側になるような軸上色収差となり、ｇ線がｄ線に対しより低い像高となって倍率色収差が抑えられる。【００３３】
請求項１１に記載のズームレンズは、請求項１〜１０のいずれかに記載の発明において、前記第２レンズ群は物体側から順に、負レンズ、負レンズ、正レンズから構成され、少なくとも一つの面に非球面を有することを特徴とする。【００３４】
第２レンズ群を物体側から負レンズ、負レンズ、正レンズとすることにより、少ないレンズ枚数で像面湾曲や、歪曲収差、倍率色収差を良好に補正することができる。また、少なくとも一つの面を非球面とすることにより、主に広角端で発生するコマ収差や非点収差、像面湾曲等の諸収差を良好に補正することができるので、ズームレンズを小型化しつつ良好な光学性能を確保することが可能となる。【００３５】
請求項１２に記載のズームレンズは、請求項１〜１１のいずれかに記載の発明において、第２レンズ群または第３レンズ群を光軸直交方向に移動することにより、像ブレを補正することを特徴とする。【００３６】
像ブレを補正する場合、小型軽量なレンズ群を光軸直交方向に移動させることが望ましい。これは小型軽量なレンズ群を補正レンズ群とすることで、像ブレを補正するためのアクチュエータ機構が複雑になり大型化してしまうことを防ぐためである。また、像ブレ補正後に良好な光学性能を確保するためには、光軸直交方向に移動するレンズ群で発生する収差を補正しておく必要がある。そのため、良好に収差補正され,且つ比較的厚みが薄い第２レンズ群または第３レンズ群を手振れ補正群とすることで、良好な光学性能の確保と像ブレ補正の為のアクチュエータ機構の小型化とを図ることができる。【００３７】
請求項１３に記載のズームレンズは、請求項１〜１２のいずれかに記載の発明において、前記第４レンズ群は１枚の負レンズから構成され、少なくとも一つの非球面を有することを特徴とする。【００３８】
第４レンズ群を一枚の負レンズから構成することにより、レンズ構成を簡略化・軽量化することができ、第４レンズ群を駆動する駆動機構を小型化することが可能となる。また、かかる負レンズの少なくとも１面を非球面とすることで、軸外光束の像面湾曲や歪曲収差を補正することができ、良好な光学性能を確保することが可能となる。【００３９】
請求項１４に記載のズームレンズは、請求項１〜１３のいずれかに記載の発明において、最も像面側のレンズ群は、プラスチックから形成された一枚の正レンズからなり、少なくとも一つの非球面を有することを特徴とする。【００４０】
最も像面側のレンズ群を、プラスチックから形成された一枚の正レンズで構成することにより、ガラスレンズを使用したときに比べ、低コスト化を達成することができる。また、最も像面側のレンズ群以降では、パワーを持った光学素子が存在しないので、最も像面側のレンズ群で発生した収差は、その後の光線経路において拡大されず目立ちにくいという利点もある。従って、屈折率の低いプラスチックレンズで構成しても、温度変化による光学性能の劣化が少なく、ズームレンズ全系の光学性能へ与える影響が小さくなる。更に、少なくとも１面を非球面とすることで軸外光束における、像面湾曲や歪曲収差を補正することができ、良好な光学性能を得ることができる。【００４１】
請求項１５に記載のズームレンズは、請求項１〜１４のいずれかに記載の発明において、実質的にパワーを有しないレンズを有することを特徴とする。このようなズームレンズも本発明の範囲内である。【００４２】
請求項１６に記載の撮像装置は、請求項１〜１５のいずれかに記載のズームレンズを有することを特徴とする。
【発明の効果】
【００４３】
本発明によれば、デジタルスチルカメラやビデオカメラ等に好適な、コンパクトながら高変倍比を有したズームレンズ及び撮像装置を提供することができる。
【図面の簡単な説明】
【００４４】
【図１】本実施の形態に係るズームレンズを備えた撮像装置の一例であるデジタルカメラの外観図で、（ａ）は前面図、（ｂ）は背面図である。
【図２】実施例１のズームレンズの広角端における断面図（ａ）、中間における断面図（ｂ）、望遠端における断面図（ｃ）である。
【図３】実施例１のズームレンズの収差図（球面収差、非点収差、歪曲収差）で、広角端における収差図（ａ）、中間における収差図（ｂ）、望遠端における収差図（ｃ）である。
【図４】実施例２のズームレンズの広角端における断面図（ａ）、中間における断面図（ｂ）、望遠端における断面図（ｃ）である。
【図５】実施例２のズームレンズの収差図（球面収差、非点収差、歪曲収差）で、広角端における収差図（ａ）、中間における収差図（ｂ）、望遠端における収差図（ｃ）である。
【図６】実施例３のズームレンズの広角端における断面図（ａ）、中間における断面図（ｂ）、望遠端における断面図（ｃ）である。
【図７】実施例３のズームレンズの収差図（球面収差、非点収差、歪曲収差）で、広角端における収差図（ａ）、中間における収差図（ｂ）、望遠端における収差図（ｃ）である。
【図８】実施例４のズームレンズの広角端における断面図（ａ）、中間における断面図（ｂ）、望遠端における断面図（ｃ）である。
【図９】実施例４のズームレンズの収差図（球面収差、非点収差、歪曲収差）で、広角端における収差図（ａ）、中間における収差図（ｂ）、望遠端における収差図（ｃ）である。
【図１０】実施例５のズームレンズの広角端における断面図（ａ）、中間における断面図（ｂ）、望遠端における断面図（ｃ）である。
【図１１】実施例５のズームレンズの収差図（球面収差、非点収差、歪曲収差）で、広角端における収差図（ａ）、中間における収差図（ｂ）、望遠端における収差図（ｃ）である。
【図１２】実施例６のズームレンズの広角端における断面図（ａ）、中間における断面図（ｂ）、望遠端における断面図（ｃ）である。
【図１３】実施例６のズームレンズの収差図（球面収差、非点収差、歪曲収差）で、広角端における収差図（ａ）、中間における収差図（ｂ）、望遠端における収差図（ｃ）である。
【図１４】実施例７のズームレンズの広角端における断面図（ａ）、中間における断面図（ｂ）、望遠端における断面図（ｃ）である。
【図１５】実施例７のズームレンズの収差図（球面収差、非点収差、歪曲収差）で、広角端における収差図（ａ）、中間における収差図（ｂ）、望遠端における収差図（ｃ）である。
【発明を実施するための形態】
【００４５】
以下、本発明の実施の形態を、図面を参照して説明する。図１は、本実施の形態に係るズームレンズを備えた撮像装置の一例であるデジタルカメラの外観図である。図１（ａ）は、デジタルカメラ１の前面図であり、図１（ｂ）は背面図である。
【００４６】
図２に示す様に、デジタルカメラ１は、ズームレンズを保持するレンズ鏡胴と撮像素子を有する撮像部２、及び、カメラ本体部３よりなる。
【００４７】
撮像部２は、後述する実施例に示すような変倍動作可能なズームレンズを保持するレンズ鏡胴及びＣＣＤ、ＣＭＯＳ等の固体撮像素子からなり、レンズ鏡胴内のズームレンズを介して結像された被写体像を固体撮像素子で画像信号に変換する。
【００４８】
カメラ本体部３は、ＬＣＤ（Ｌｉｑｕｉｄ  Ｃｒｙｓｔａｌ  Ｄｉｓｐｌａｙ；液晶表示素子）からなるＬＣＤ表示部６、ＥＶＦ（Ｅｌｅｃｔｒｏｎｉｃ  Ｖｉｅｗ  Ｆｉｎｄｅｒ；電子ビューファインダ）７、デジタルカメラ１を図示しないパーソナルコンピュータに接続する外部接続端子を有しており、撮像部２で取り込まれた画像信号に所定の信号処理を施し、ＬＣＤ表示部６やＥＶＦ７への画像表示、不図示のメモリカードなどの記録媒体への画像記録、あるいはパーソナルコンピュータへの画像の転送といった処理を行う。
【００４９】
カメラ本体部３の前面には、上部適所にフラッシュ発光部４が設けられている。また、カメラ本体部３の背面には撮影画像の表示や記録画像の再生表示を行うＬＣＤ表示部６とＥＶＦ７が設けられている。
【００５０】
カメラ本体部３の上面には、シャッタボタン５と、シャッタボタン５の近くに「記録モード」と「再生モード」とを切換設定する、不図示の撮影モード切換スイッチが設けられている。記録モードは、撮影待機状態から露光制御のプロセスを経て撮影にいたる写真撮影を行うモードであり、再生モードは、メモリカードに記録された撮影画像をＬＣＤ表示部６やＥＶＦ７に再生表示するモードである。
【００５１】
カメラ本体部３の背面には、再生画像のコマ送りや、撮影時にズーム操作を行うための再生コマ送りスイッチ／ズームスイッチ９が設けられている。再生コマ送りスイッチ／ズームスイッチ９における再生画像のコマ送りとは、カメラを再生モードに設定しメモリカード１３に記録された画像をコマ番号とともにＬＣＤ表示部６に順次表示する様にしたものである。なお、ＬＣＤ表示部６への画像表示を昇順方向（撮影順の方向）若しくは降順方向（撮影順と逆の方向）に変更指示することも可能である。また、撮影時のズーム操作は、再生コマ送りスイッチ／ズームスイッチ９を操作することにより、ズームレンズをテレ方向若しくはワイド方向に変倍させる。
【００５２】
さらに、カメラ本体部３の背面には、画像表示を行うためのＬＣＤ表示部６とＥＶＦ７とを選択するＥＶＦ切換スイッチ８が設けられている。
【００５３】
また、カメラ本体部３の底面内部には、デジタルカメラ１の動作用電源としての電池（図示せず）が設けられている。
【００５４】
（実施例）
次に、上述した実施の形態に好適なズームレンズの実施例について説明する。但し、以下に示す実施例により本発明が限定されるものではない。各実施例に使用する記号は下記の通りである。
ｆ    ：撮像レンズ全系の焦点距離（ｍｍ）
Ｆｎｏ：Ｆナンバー
２ω  ：画角（°）
Ｙ    ：像高（ｍｍ）
Ｒ    ：曲率半径（ｍｍ）
Ｄ    ：軸上面間隔（ｍｍ）
Ｎｄ  ：レンズ材料のｄ線に対する屈折率
νｄ  ：レンズ材料のアッベ数
【００５５】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００５６】
【数１】
2014115470.tif 000003
ただし、
Ａｉ：ｉ次の非球面係数
Ｒ  ：曲率半径
Ｋ  ：円錐定数
【００５７】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。寸法で示す値の単位はｍｍである。
【００５８】
（表１）
実施例1 
f(全系の焦点距離)=4.62-20.99-96.60 
Fno=3.51-5.62-6.47 
2ω(画角)=79.71°-20.82°-4.57° 
Y(像高)=3.170-3.873-3.888
面番号  R(mm)   D(mm)   Nd         νd
1       65.000  0.90    1.903700    31.32
2       27.060  0.01    1.514000    42.83
3       27.060  3.08    1.497000    81.61
4     -183.766  0.15 
5       25.000  2.18    1.729200    54.67
6      104.065    d1              
7*      24.038  0.50    1.820800    42.71
8*      5.164   3.12 
9       -9.568  0.50    1.729200    54.67
10      42.254  0.20  
11      15.470  1.15    1.945900    17.98
12       無限    d2   
13(絞り)  無限  0.70 
14*     7.725   1.59    1.693500    53.2
15*  -237.092   0.22 
16     10.310   1.63    1.497000    81.61
17    -14.923   0.01    1.514000    42.83
18    -14.923   0.50    1.910800    35.25
19      8.640   0.65 
20*     23.984  1.40    1.618800    63.86
21*    -10.706    d3   
22*    -18.216  0.50    1.530500    55.72
23*     16.867    d4 
24*     11.062  2.43    1.530500    55.72
25*    -61.374  1.70 
26      無限    0.30    1.516800    64.2
27      無限    0.27 
28      無限    0.50    1.516800    64.2
29      無限      fB 
1群：1面〜6面  
2群：7面〜12面  
3群：13面〜21面 
4群：22面〜23面 
5群：24面〜25面 
各ポジションの焦点距離、Fナンバー、群間 
f       Fno     d1      d2      d3      d4      fB
4.62    3.51    0.30    20.11   5.58    3.69    0.53 
20.99   5.62    13.48   6.50    11.61   7.05    0.54 
96.60   6.47    28.04   0.60    10.49   11.50   0.52 
入射瞳位置、射出瞳位置(共にL1から像側が正)、 
前側主点位置、後側主点位置(共にL1から像側が正)  
ENTP     EXTP    H1      H2 
11.72   -30.96   15.66   49.79  
40.22   -145.26  58.18   42.39 
163.65  161.08   318.37  -21.26  
レンズ群データ 
レンズ群    始面    焦点距離(mm) 
1           1       41.68 
2           7       -6.18  
3          13       10.61 
4          22      -16.43 
5          24       17.88 
非球面係数 
第7面    K=  0              第22面   K=  0
A4= 0.1544E-03              A4= 0.1336E-02
A6= -0.5156E-04             A6= 0.5597E-04
A8= 0.2674E-05              A8= -0.2144E-04
A10= -0.5980E-07            A10= -0.2980E-05
A12= 0.4955E-09             A12= 0.3581E-06
第8面    K=  0              第23面   K=  0
A4= 0.1521E-03              A4= 0.1402E-02
A6= -0.5524E-04             A6= 0.1001E-03
A8= 0.9845E-06              A8= -0.4251E-04
A10= 0.2347E-07             A10= 0.9481E-06
A12= 0.1241E-08             A12= 0.1091E-06
第14面   K=  0              第24面   K=  0
A4= -0.4619E-03             A4= 0.1194E-02
A6= 0.7539E-04              A6= -0.5488E-04
A8= -0.9704E-05             A8= 0.9114E-06
A10= -0.1832E-06            A10= -0.2269E-07
A12= 0.2809E-07             A12= -0.6145E-09
第15面   K=  0              第25面   K=  0
A4= -0.5313E-03             A4= 0.2569E-02
A6= 0.1574E-03              A6= -0.1615E-03
A8= -0.2507E-04             A8= 0.2413E-05
A10= 0.6835E-06             A10= -0.1884E-07
A12= 0.2245E-07             A12= 0.0000E+00
第20面   K=  0   
A4= -0.3977E-03  
A6= 0.3107E-03  
A8= -0.4596E-04 
A10= 0.1065E-05  
A12= 0.1732E-06  
第21面   K=  0  
A4= 0.2276E-03 
A6= 0.1841E-03 
A8= -0.2010E-04 
A10= -0.3031E-06  
A12= 0.1549E-06 
【００５９】
図２は実施例１のズームレンズの断面図であり、図２（ａ）は広角端における断面図であり、図２（ｂ）は中間における断面図であり、図２（ｃ）は望遠端における断面図である。図中Ｇ１は正の屈折力を有する第１レンズ群、Ｇ２は負の屈折力を有する第２レンズ群、Ｇ３は正の屈折力を有する第３レンズ群、Ｇ４は負の屈折力を有する第４レンズ群、Ｇ５は正の屈折力を有する第５レンズ群であり、この順序で物体側から配置されている。第１レンズ群Ｇ１は、負レンズＬ１と正レンズＬ２を接合させた接合レンズと、正レンズＬ３とからなる。第２レンズ群Ｇ２は、負レンズＬ４と，負レンズＬ５と、正レンズＬ６とからなる。第３レンズ群Ｇ３は、絞りＳと，正レンズＬ７と、正レンズＬ８と負レンズＬ９とを接合させた接合レンズと、正レンズＬ１０とからなる。第４レンズ群Ｇ４は、負レンズＬ１１のみからなる。第５レンズ群Ｇ５は、プラスチック製の正レンズＬ１２のみからなる。Ｉは撮像面を示す。また、Ｆ１、Ｆ２は光学的ローパスフィルタやＩＲカットフィルタ、固体撮像素子のシールガラス等を想定した平行平板を示す。
【００６０】
実施例１のズームレンズでは、変倍に際し、第１レンズ群Ｇ１、第２レンズ群Ｇ２、第３レンズ群Ｇ３、第４レンズ群Ｇ４が光軸方向に沿って移動し、各レンズ群の間隔を変えることにより変倍を行うことが出来る。第５レンズ群Ｇ５は固定されている。また、第４レンズ群Ｇ４を移動させることによって無限遠から有限距離の範囲の合焦（フォーカシング）を行うことが出来る。更に、第２レンズ群Ｇ２又は第３レンズ群Ｇ３のいずれか一方を光軸直交方向に変位させることで、像ぶれ補正を行える。実施例１では、変倍比が２０．９であり、ｎｄ＞１．９を満たすレンズは、第１レンズ群Ｇ１の面番号１であり、第２レンズ群Ｇ２の面番号１１であり、第３レンズ群Ｇ１の面番号１８である。なお、面番号２，１７は接着剤を意味する。
【００６１】
図３は実施例１のズームレンズの収差図（球面収差、非点収差、歪曲収差）である。ここで、図３（ａ）は広角端における収差図である。図３（ｂ）は中間における収差図である。図３（ｃ）は望遠端における収差図である。尚、球面収差図において、点線はｇ線、実線はｄ線に対する球面収差量をそれぞれ表す。また、非点収差図において、実線Ｓはサジタル面、点線Ｍはメリディオナル面をそれぞれ表す（以下同じ）。
【００６２】
（実施例２）
実施例２のレンズデータを表２に示す。
【００６３】
（表２）
実施例2 
f(全系の焦点距離)=4.70-22.51-97.31 
Fno=3.58-5.68-6.88  
2ω(画角)=78.70°-19.44°-4.54°  
Y(像高)=3.190-3.911-3.789
面番号  R(mm)   D(mm)   Nd         νd
1       57.381  0.80    1.903700    31.32
2       25.391  0.01    1.514000    42.83
3       25.391  3.19    1.497000    81.61
4     -699.572  0.10  
5       26.362  2.23    1.729200    54.67
6      200.043    d1  
7     -131.022  0.60    1.910800    35.25
8       8.950   2.80  
9      -10.153  0.50    1.618000    63.4
10      13.741  0.01    1.514000    42.83
11      13.741  1.62    1.945900    17.98
12     575.487    d2 
13(絞り)  無限  0.70  
14*     7.042   2.19    1.592000    67.02
15*    -31.664  0.10  
16      13.513  1.41    1.516800    64.2
17     -65.000  0.01    1.514000    42.83
18     -65.000  0.50    1.834800    42.72
19      4.975   0.01    1.514000    42.83
20      4.975   2.37    1.487500    70.44
21     -13.643    d3  
22*     26.370  1.00    1.851300    40.1
23*      7.200    d4  
24*   -187.788  2.39    1.530500    55.72
25*     -9.597  4.61  
26      無限    0.30    1.516800    64.2
27      無限    0.27                
28      無限    0.50    1.516800    64.2
29      無限      fB 
1群：1面〜6面 
2群：7面〜12面 
3群：13面〜21面  
4群：22面〜23面  
5群：24面〜25面 
各ポジションの焦点距離、Fナンバー、群間  
f       Fno     d1      d2      d3      d4      fB
4.70    3.58    0.90    22.34   2.59    1.98    1.40 
22.51   5.68    14.40   7.70    6.76    6.79    1.44 
97.31   6.88    26.42   0.77    8.09    10.20   1.38 
入射瞳位置、射出瞳位置(共にL1から像側が正)、 
前側主点位置、後側主点位置(共にL1から像側が正) 
ENTP    EXTP        H1      H2          
13.19   -20.58      16.88   52.72           
45.83   -65.39      60.76   42.80           
141.07  -408.00     215.25  -22.23
レンズ群データ  
レンズ群    始面    焦点距離(mm) 
1           1       40.75 
2           7       -6.32 
3          13        9.86 
4          22       -11.92 
5          24       18.98 
非球面係数                      
第14面   K=  0              第24面   K=  0
A4= -0.2068E-03             A4= 0.9921E-03
A6= -0.5076E-05             A6= 0.1153E-04
A8= 0.9920E-07              A8= -0.5163E-06
A10= -0.1170E-07            A10= 0.1170E-07
A12= 0.0000E+00             A12= 0.0000E+00
第15面   K=  0              第25面   K=  0
A4= 0.3000E-03              A4= 0.8077E-03
A6= -0.8664E-05             A6= 0.1013E-04
A8= 0.6474E-06              A8= -0.1712E-06
A10= -0.3932E-07            A10= 0.6679E-08
A12= 0.0000E+00             A12= 0.0000E+00
第22面   K=  0 
A4= -0.9903E-04 
A6= 0.1097E-04 
A8= -0.1720E-05  
A10= -0.3895E-06 
A12= 0.0000E+00 
第23面   K=  0 
A4= 0.3300E-03 
A6= 0.4214E-04  
A8= -0.8571E-05  
A10= 0.0000E+00  
A12= 0.0000E+00 
【００６４】
図４は実施例２のズームレンズの断面図であり、図４（ａ）は広角端における断面図であり、図４（ｂ）は中間における断面図であり、図４（ｃ）は望遠端における断面図である。図中Ｇ１は正の屈折力を有する第１レンズ群、Ｇ２は負の屈折力を有する第２レンズ群、Ｇ３は正の屈折力を有する第３レンズ群、Ｇ４は負の屈折力を有する第４レンズ群、Ｇ５は正の屈折力を有する第５レンズ群であり、この順序で物体側から配置されている。第１レンズ群Ｇ１は、負レンズＬ１と正レンズＬ２を接合させた接合レンズと、正レンズＬ３とからなる。第２レンズ群Ｇ２は、負レンズＬ４と，負レンズＬ５と正レンズＬ６とを接合した接合レンズとからなる。第３レンズ群Ｇ３は、絞りＳと，正レンズＬ７と、正レンズＬ８と負レンズＬ９と正レンズ１０とを接合させた接合レンズとからなる。第４レンズ群Ｇ４は、負レンズＬ１１のみからなる。第５レンズ群Ｇ５は、プラスチック製の正レンズＬ１２のみからなる。Ｉは撮像面を示す。また、Ｆ１、Ｆ２は光学的ローパスフィルタやＩＲカットフィルタ、固体撮像素子のシールガラス等を想定した平行平板を示す。
【００６５】
実施例２のズームレンズでは、変倍に際し、第１レンズ群Ｇ１、第２レンズ群Ｇ２、第３レンズ群Ｇ３、第４レンズ群Ｇ４が光軸方向に沿って移動し、各レンズ群の間隔を変えることにより変倍を行うことが出来る。第５レンズ群Ｇ５は固定されている。また、第４レンズ群Ｇ４を移動させることによって無限遠から有限距離の範囲の合焦（フォーカシング）を行うことが出来る。更に、第２レンズ群Ｇ２又は第３レンズ群Ｇ３のいずれか一方を光軸直交方向に変位させることで、像ぶれ補正を行える。実施例２では、変倍比が２０．７であり、ｎｄ＞１．９を満たすレンズは、第１レンズ群Ｇ１の面番号１であり、第２レンズ群Ｇ２の面番号７又は１１である。なお、面番号２，１０，１７、１９は接着剤を意味する。
【００６６】
図５は実施例２のズームレンズの収差図（球面収差、非点収差、歪曲収差）である。ここで、図５（ａ）は広角端における収差図である。図５（ｂ）は中間における収差図である。図５（ｃ）は望遠端における収差図である。
【００６７】
（実施例３）
実施例３のレンズデータを表３に示す。
【００６８】
（表３）
実施例3  
f(全系の焦点距離)=4.62-20.98-96.60 
Fno=3.46-5.65-6.43 
2ω(画角)=79.71°-20.83°-4.57° 
Y(像高)=3.161-3.953-3.950
面番号  R(mm)   D(mm)   Nd          νd
1       88.908  0.90    1.903700    31.32
2       28.831  0.01    1.514000    42.83
3       28.831  2.50    1.497000    81.61
4     -162.827  0.15  
5       27.122  2.04    1.772500    49.62
6      151.584    d1 
7*      64.774  0.50    1.820800    42.71
8*      7.535   2.56 
9       -9.978  0.50    1.729200    54.67
10      33.819  0.20  
11      19.929  1.31    1.945900    17.98
12    -116.636    d2  
13(絞り)  無限  0.70 
14*     7.362   1.90    1.622600    58.16
15*   -95.760   0.20  
16      8.914   1.76    1.497000    81.61
17    -18.053   0.01    1.514000    42.83
18    -18.053   0.50    1.910800    35.25
19      9.212   0.49                
20*     14.134  1.11    1.583100    59.46
21*    -29.229    d3  
22*   -60.274   0.50    1.530500    55.72
23*     7.432     d4  
24*     51.301  2.70    1.530500    55.72
25*     -8.565  2.74    
26      無限    0.30    1.516800    64.2
27      無限    1.00 
28      無限    0.50    1.516800    64.2
29      無限      fB 
1群：1面〜6面  
2群：7面〜12面 
3群：13面〜21面 
4群：22面〜23面 
5群：24面〜25面  
各ポジションの焦点距離、Fナンバー、群間 
f       Fno     d1      d2      d3      d4      fB
4.62    3.46    0.30    27.21   3.30    4.82    0.50 
20.98   5.65    11.51   8.21    9.26    8.22    0.49 
96.60   6.43    28.43   0.50    10.92   9.60    0.49 
入射瞳位置、射出瞳位置(共にL1から像側が正)、 
前側主点位置、後側主点位置(共にL1から像側が正) 
ENTP    EXTP    H1      H2  
12.24   -64.11  16.52   56.58  
32.71   92.62   58.46   41.78  
134.39  57.80   393.82  -21.61 
レンズ群データ 
レンズ群    始面    焦点距離(mm) 
1           1       43.91 
2           7       -7.18 
3          13       10.58  
4          22      -12.44  
5          24       14.06 
非球面係数  
第7面    K=  0              第22面   K=  0
A4= -0.1039E-03             A4= 0.2038E-02
A6= -0.1572E-05             A6= -0.2219E-03
A8= 0.3290E-06              A8= 0.2321E-04
A10= -0.5767E-08            A10= -0.3642E-05
A12= 0.1402E-10             A12= 0.2664E-06
第8面    K=  0              第23面   K=  0
A4= -0.5560E-04             A4= 0.2453E-02
A6= -0.4039E-05             A6= -0.1226E-03
A8= 0.8737E-06              A8= -0.1557E-04
A10= -0.2983E-07            A10= 0.2953E-05
A12= 0.1481E-08             A12= -0.1634E-06
第14面   K=  0              第24面   K=  0
A4= -0.2207E-03             A4= 0.7038E-03
A6= 0.1493E-04              A6= -0.5315E-05
A8= -0.2233E-05             A8= -0.5272E-06
A10= 0.1814E-06             A10= 0.3451E-07
A12= -0.1105E-07            A12= -0.7373E-09
第15面   K=  0              第25面   K=  0
A4= -0.4762E-03             A4= 0.1282E-02
A6= 0.3816E-04              A6= -0.3776E-04
A8= -0.2239E-05             A8= 0.1167E-05
A10= -0.4306E-07            A10= -0.1839E-07
A12= 0.0000E+00             A12= 0.0000E+00
第20面   K=  0 
A4= -0.1103E-02 
A6= 0.5275E-04 
A8= 0.3812E-04 
A10= -0.7761E-05 
A12= 0.4748E-06 
第21面   K=  0  
A4= 0.1114E-03 
A6= 0.2933E-04 
A8= 0.3905E-04  
A10= -0.7457E-05  
A12= 0.4704E-06 
【００６９】
図６は実施例３のズームレンズの断面図であり、図６（ａ）は広角端における断面図であり、図６（ｂ）は中間における断面図であり、図６（ｃ）は望遠端における断面図である。図中Ｇ１は正の屈折力を有する第１レンズ群、Ｇ２は負の屈折力を有する第２レンズ群、Ｇ３は正の屈折力を有する第３レンズ群、Ｇ４は負の屈折力を有する第４レンズ群、Ｇ５は正の屈折力を有する第５レンズ群であり、この順序で物体側から配置されている。第１レンズ群Ｇ１は、負レンズＬ１と正レンズＬ２を接合させた接合レンズと、正レンズＬ３とからなる。第２レンズ群Ｇ２は、負レンズＬ４と，負レンズＬ５と、正レンズＬ６とからなる。第３レンズ群Ｇ３は、絞りＳと，正レンズＬ７と、正レンズＬ８と負レンズＬ９とを接合させた接合レンズと、正レンズ１０とからなる。第４レンズ群Ｇ４は、負レンズＬ１１のみからなる。第５レンズ群Ｇ５は、プラスチック製の正レンズＬ１２のみからなる。Ｉは撮像面を示す。また、Ｆ１、Ｆ２は光学的ローパスフィルタやＩＲカットフィルタ、固体撮像素子のシールガラス等を想定した平行平板を示す。
【００７０】
実施例３のズームレンズでは、変倍に際し、第１レンズ群Ｇ１、第２レンズ群Ｇ２、第３レンズ群Ｇ３、第４レンズ群Ｇ４が光軸方向に沿って移動し、各レンズ群の間隔を変えることにより変倍を行うことが出来る。第５レンズ群Ｇ５は固定されている。また、第４レンズ群Ｇ４を移動させることによって無限遠から有限距離の範囲の合焦（フォーカシング）を行うことが出来る。更に、第２レンズ群Ｇ２又は第３レンズ群Ｇ３のいずれか一方を光軸直交方向に変位させることで、像ぶれ補正を行える。実施例３では、変倍比が２０．９であり、ｎｄ＞１．９を満たすレンズは、第１レンズ群Ｇ１の面番号１であり、第２レンズ群Ｇ２の面番号１１であり、第３レンズ群Ｇ３の面番号１８である。なお、面番号２，１７は接着剤を意味する。
【００７１】
図７は実施例３のズームレンズの収差図（球面収差、非点収差、歪曲収差）である。ここで、図７（ａ）は広角端における収差図である。図７（ｂ）は中間における収差図である。図５（ｃ）は望遠端における収差図である。
【００７２】
（実施例４）
実施例４のレンズデータを表４に示す。
【００７３】
（表４）
実施例4  
f(全系の焦点距離)=4.75-22.50-98.49 
Fno=3.24-5.62-6.89  
2ω(画角)=78.13°-19.45°-4.48°  
Y(像高)=3.139-3.953-3.871
面番号  R(mm)   D(mm)   Nd          νd
1       73.501  0.80    1.903700    31.32
2       27.601  0.01    1.514000    42.83
3       27.601  2.96    1.497000    81.61
4     -147.260  0.10  
5       26.224  2.35    1.729200    54.67
6      204.909    d1 
7     -47.749   0.60    1.834800    42.72
8       11.875  2.21  
9     -12.709   0.50    1.729200    54.67
10      10.612  0.01    1.514000    42.83
11      10.612  1.33    1.945900    17.98
12      44.320    d2  
13(絞り)  無限  0.70    
14*     12.103  1.33    1.696800    55.46
15*    465.744  0.10  
16      10.878  1.30    1.497000    81.61
17    -49.523   0.01    1.514000    42.83
18    -49.523   0.50    1.903700    31.32
19     16.880   0.01    1.514000    42.83
20     16.880   1.59    1.487500    70.44
21     -8.023     d3 
22*   -98.734   1.80    1.851300    40.1
23*     8.511     d4 
24*     92.192  3.00    1.530500    55.72
25*    -7.500   3.18 
26      無限    0.30    1.516800    64.2
27      無限    0.27  
28      無限    0.50    1.516800    64.2
29      無限    fB  
1群：1面〜6面   
2群：7面〜12面   
3群：13面〜21面   
4群：22面〜23面   
5群：24面〜25面    
各ポジションの焦点距離、Fナンバー、群間   
f       Fno     d1      d2      d3      d4      fB
4.75    3.24    1.05    18.19   3.75    2.02    0.80 
22.50   5.62    14.43   7.96    4.93    12.11   0.78 
98.49   6.89    25.49   0.77    5.47    17.11   0.77 
入射瞳位置、射出瞳位置(共にL1から像側が正)、   
前側主点位置、後側主点位置(共にL1から像側が正)   
ENTP    EXTP    H1      H2  
13.27   -28.50  17.25   46.53  
47.45   39.60   83.00   43.18 
131.93  25.20   627.47  -23.41  
レンズ群データ   
レンズ群    始面    焦点距離(mm)   
1           1       39.40   
2           7       -6.25    
3          13       8.48  
4          22       -9.13  
5          24       13.21  
非球面係数  
第14面   K=  0              第24面   K=  0
A4= -0.1323E-03             A4= 0.4975E-03
A6= 0.9444E-05              A6= 0.6707E-05
A8= -0.1617E-05             A8= -0.3014E-06
A10= -0.9026E-08            A10= 0.7800E-08
A12= 0.0000E+00             A12= 0.0000E+00
第15面   K=  0              第25面   K=  0
A4= 0.3761E-03              A4= 0.1258E-02
A6= 0.1573E-04              A6= -0.8977E-05
A8= -0.1818E-05             A8= 0.1004E-06
A10= 0.9122E-08             A10= 0.5893E-08
A12= 0.0000E+00             A12= 0.0000E+00
第22面   K=  0  
A4= 0.3995E-03  
A6= 0.2173E-04  
A8= -0.4049E-05 
A10= -0.2530E-06 
A12= 0.0000E+00  
第23面   K=  0  
A4= 0.1075E-02 
A6= 0.7550E-04  
A8= -0.1193E-04 
A10= 0.0000E+00 
A12= 0.0000E+00 
【００７４】
図８は実施例４のズームレンズの断面図であり、図８（ａ）は広角端における断面図であり、図８（ｂ）は中間における断面図であり、図８（ｃ）は望遠端における断面図である。図中Ｇ１は正の屈折力を有する第１レンズ群、Ｇ２は負の屈折力を有する第２レンズ群、Ｇ３は正の屈折力を有する第３レンズ群、Ｇ４は負の屈折力を有する第４レンズ群、Ｇ５は正の屈折力を有する第５レンズ群であり、この順序で物体側から配置されている。第１レンズ群Ｇ１は、負レンズＬ１と正レンズＬ２を接合させた接合レンズと、正レンズＬ３とからなる。第２レンズ群Ｇ２は、負レンズＬ４と，負レンズＬ５と正レンズＬ６とを接合した接合レンズとからなる。第３レンズ群Ｇ３は、絞りＳと，正レンズＬ７と、正レンズＬ８と負レンズＬ９と正レンズ１０とを接合させた接合レンズとからなる。第４レンズ群Ｇ４は、負レンズＬ１１のみからなる。第５レンズ群Ｇ５は、プラスチック製の正レンズＬ１２のみからなる。Ｉは撮像面を示す。また、Ｆ１、Ｆ２は光学的ローパスフィルタやＩＲカットフィルタ、固体撮像素子のシールガラス等を想定した平行平板を示す。
【００７５】
実施例４のズームレンズでは、変倍に際し、第１レンズ群Ｇ１、第２レンズ群Ｇ２、第３レンズ群Ｇ３、第４レンズ群Ｇ４が光軸方向に沿って移動し、各レンズ群の間隔を変えることにより変倍を行うことが出来る。第５レンズ群Ｇ５は固定されている。また、第４レンズ群Ｇ４を移動させることによって無限遠から有限距離の範囲の合焦（フォーカシング）を行うことが出来る。更に、第２レンズ群Ｇ２又は第３レンズ群Ｇ３のいずれか一方を光軸直交方向に変位させることで、像ぶれ補正を行える。実施例４では、変倍比が２０．７であり、ｎｄ＞１．９を満たすレンズは、第１レンズ群Ｇ１の面番号１であり、第２レンズ群Ｇ２の面番号１１であり、第３レンズ群Ｇ３の面番号１８である。なお、面番号２，１０，１７、１９は接着剤を意味する。
【００７６】
図９は実施例４のズームレンズの収差図（球面収差、非点収差、歪曲収差）である。ここで、図９（ａ）は広角端における収差図である。図９（ｂ）は中間における収差図である。図９（ｃ）は望遠端における収差図である。
【００７７】
（実施例５）
実施例５のレンズデータを表５に示す。
【００７８】
（表５）
実施例5  
f(全系の焦点距離)=4.23-21.50-105.71  
Fno=3.45-6.18-6.43  
2ω(画角)=84.73°-20.33°-4.18°  
Y(像高)=3.160-3.953-3.875
面番号  R(mm)   D(mm)   Nd          νd
1       65.588  0.90    1.903700    31.32
2       26.200  0.01    1.514000    42.83
3       26.200  3.23    1.437000    95.1
4     -200.000  0.15  
5       25.820  2.25    1.772500    49.62
6      157.713    d1  
7*      57.197  0.50    1.801400    45.45
8*      6.814   2.93 
9     -10.257   0.50    1.729200    54.67
10     28.871   0.20  
11      17.445  1.37    1.945900    17.98
12    -330.849    d2  
13(絞り)  無限  0.70 
14*     6.415   1.90    1.618800    63.86
15*   -99.617   0.20  
16      16.036  1.41    1.497000    81.61
17    -12.413   0.01    1.514000    42.83
18    -12.413   0.50    1.910800    35.25
19     13.927   0.38  
20*     15.525  1.03    1.583100    59.46
21*   -23.032     d3 
22*   -12.028   0.50    1.530500    55.72
23*    12.565     d4  
24*    20.101   2.72    1.530500    55.72
25*   -12.477   2.49 
26      無限    0.30    1.516800    64.2
27      無限    1.00  
28      無限    0.50    1.516800    64.2
29      無限      fB  
1群：1面〜6面 
2群：7面〜12面 
3群：13面〜21面 
4群：22面〜23面 
5群：24面〜25面 
各ポジションの焦点距離、Fナンバー、群間 
f       Fno     d1      d2      d3      d4      fB
4.23    3.45    0.30    26.04   3.75    3.71    0.51 
21.50   6.18    9.32    6.07    10.94   7.48    0.51 
105.71  6.43    29.05   0.56    7.50    12.70   0.53 
入射瞳位置、射出瞳位置(共にL1から像側が正)、 
前側主点位置、後側主点位置(共にL1から像側が正) 
ENTP    EXTP    H1      H2  
12.68   -33.77  16.39   55.75  
27.25   499.81  49.67   38.48 
169.00  55.26   478.84  -29.71 
レンズ群データ  
レンズ群    始面    焦点距離(mm) 
1           1       42.49 
2           7       -6.69 
3          13       10.05 
4          22      -11.50 
5          24       14.94 
非球面係数  
第7面    K=  0             第22面   K=  0
A4= -0.2608E-03            A4= 0.6790E-02
A6= 0.3614E-05             A6= -0.1047E-02
A8= 0.5661E-06             A8= 0.1257E-03
A10= -0.1787E-07           A10= -0.9088E-05
A12= 0.1535E-09            A12= 0.2664E-06
第8面    K=  0              第23面   K=  0
A4= -0.2440E-03             A4= 0.7005E-02
A6= 0.1076E-05              A6= -0.9198E-03
A8= 0.9344E-06              A8= 0.8632E-04
A10= 0.6065E-09             A10= -0.2535E-05
A12= 0.1012E-08             A12= -0.1634E-06
第14面   K=  0              第24面   K=  0
A4= -0.5631E-03             A4= 0.8019E-03
A6= 0.3388E-05              A6= -0.4162E-04
A8= -0.2913E-05             A8= 0.2014E-05
A10= 0.4496E-06             A10= -0.3378E-07
A12= -0.3776E-07            A12= -0.1586E-09
第15面   K=  0              第25面   K=  0
A4= -0.1415E-02             A4= 0.1387E-02
A6= 0.4716E-04              A6= -0.8454E-04
A8= 0.2894E-05              A8= 0.3686E-05
A10= -0.5209E-06            A10= -0.6621E-07
A12= 0.0000E+00             A12= 0.0000E+00
第20面   K=  0 
A4= -0.2538E-02 
A6= 0.3573E-04 
A8= 0.7366E-04 
A10= -0.1004E-04  
A12= 0.4810E-06  
第21面   K=  0 
A4= -0.3137E-03 
A6= -0.2115E-05 
A8= 0.6566E-04  
A10= -0.8804E-05  
A12= 0.4674E-06  
【００７９】
図１０は実施例５のズームレンズの断面図であり、図１０（ａ）は広角端における断面図であり、図１０（ｂ）は中間における断面図であり、図１０（ｃ）は望遠端における断面図である。図中Ｇ１は正の屈折力を有する第１レンズ群、Ｇ２は負の屈折力を有する第２レンズ群、Ｇ３は正の屈折力を有する第３レンズ群、Ｇ４は負の屈折力を有する第４レンズ群、Ｇ５は正の屈折力を有する第５レンズ群であり、この順序で物体側から配置されている。第１レンズ群Ｇ１は、負レンズＬ１と正レンズＬ２を接合させた接合レンズと、正レンズＬ３とからなる。第２レンズ群Ｇ２は、負レンズＬ４と，負レンズＬ５と、正レンズＬ６とからなる。第３レンズ群Ｇ３は、絞りＳと，正レンズＬ７と、正レンズＬ８と負レンズＬ９とを接合させた接合レンズと、正レンズ１０とからなる。第４レンズ群Ｇ４は、負レンズＬ１１のみからなる。第５レンズ群Ｇ５は、プラスチック製の正レンズＬ１２のみからなる。Ｉは撮像面を示す。また、Ｆ１、Ｆ２は光学的ローパスフィルタやＩＲカットフィルタ、固体撮像素子のシールガラス等を想定した平行平板を示す。
【００８０】
実施例５のズームレンズでは、変倍に際し、第１レンズ群Ｇ１、第２レンズ群Ｇ２、第３レンズ群Ｇ３、第４レンズ群Ｇ４が光軸方向に沿って移動し、各レンズ群の間隔を変えることにより変倍を行うことが出来る。第５レンズ群Ｇ５は固定されている。また、第４レンズ群Ｇ４を移動させることによって無限遠から有限距離の範囲の合焦（フォーカシング）を行うことが出来る。更に、第２レンズ群Ｇ２又は第３レンズ群Ｇ３のいずれか一方を光軸直交方向に変位させることで、像ぶれ補正を行える。実施例５では、変倍比が２５．０であり、ｎｄ＞１．９を満たすレンズは、第１レンズ群Ｇ１の面番号１であり、第２レンズ群Ｇ２の面番号１１であり、第３レンズ群Ｇ３の面番号１８である。なお、面番号２，１７は接着剤を意味する。
【００８１】
図１１は実施例５のズームレンズの収差図（球面収差、非点収差、歪曲収差）である。ここで、図１１（ａ）は広角端における収差図である。図１１（ｂ）は中間における収差図である。図１１（ｃ）は望遠端における収差図である。
【００８２】
（実施例６）
実施例６のレンズデータを表６に示す。
【００８３】
（表６）
実施例6  
f(全系の焦点距離)=4.51-18.93-75.74  
Fno=3.45-5.19-5.86 
2ω(画角)=81.08°-23.02°-5.83°  
Y(像高)=3.163-3.953-3.916
面番号  R(mm)   D(mm)   Nd          νd
1       70.374  0.90    1.903700    31.32
2       23.860  0.01    1.514000    42.83
3       23.860  3.10    1.497000    81.61
4     -160.998  0.15    
5       22.759  2.19    1.772500    49.62
6      127.769    d1    
7*      46.516  0.50    1.801400    45.45
8*      6.761   2.60  
9     -10.102   0.50    1.729200    54.67
10     26.124   0.20 
11     16.756   1.29    1.945900    17.98
12   -1998.573    d2    
13(絞り)  無限  0.70  
14*     6.576   1.90    1.618800    63.86
15*   -51.013   0.20 
16     14.524   1.52    1.497000    81.61
17    -11.210   0.01    1.514000    42.83
18    -11.210   0.50    1.910800    35.25
19     14.218   0.37 
20*    12.944   1.04    1.583100    59.46
21*   -26.630     d3   
22*   -37.103   0.50    1.530500    55.72
23*     6.939     d4 
24*    70.881   2.50    1.530500    55.72
25*    -8.885   2.41  
26      無限    0.30    1.516800    64.2
27      無限    1.00  
28      無限    0.50    1.516800    64.2
29      無限      fB  
1群：1面〜6面 
2群：7面〜12面 
3群：13面〜21面  
4群：22面〜23面 
5群：24面〜25面  
各ポジションの焦点距離、Fナンバー、群間 
f       Fno     d1      d2      d3      d4      fB
4.51    3.45    0.30    23.98   3.00    3.95    0.53 
18.93   5.19    10.08   7.36    7.08    6.73    0.53 
75.74   5.86    22.62   0.59    7.30    9.06    0.52 
入射瞳位置、射出瞳位置(共にL1から像側が正)、  
前側主点位置、後側主点位置(共にL1から像側が正) 
ENTP    EXTP     H1      H2 
12.63   -34.58   16.56   52.16  
32.22   -201.05  49.37   37.74    
108.13  182.93   215.32  -10.75  
レンズ群データ  
レンズ群    始面    焦点距離(mm)  
1           1       36.75  
2           7       -6.63  
3          13       9.37  
4          22      -10.98  
5          24       15.05  
非球面係数  
第7面    K=  0              第22面  K=  0
A4= -0.3932E-03             A4= 0.2756E-02
A6= 0.8508E-05              A6= -0.5939E-03
A8= 0.3307E-06              A8= 0.1028E-03
A10= -0.1120E-07            A10= -0.9510E-05
A12= 0.8112E-10             A12= 0.2664E-06
第8面    K=  0              第23面  K=  0
A4= -0.3687E-03             A4= 0.3468E-02
A6= 0.4243E-06              A6= -0.5750E-03
A8= 0.1439E-05              A8= 0.7974E-04
A10= -0.5317E-07            A10= -0.4099E-05
A12= 0.2694E-08             A12= -0.1634E-06
第14面   K=  0              第24面   K=  0
A4= -0.5961E-03             A4= 0.1472E-02
A6= -0.1498E-04             A6= -0.6771E-04
A8= -0.5486E-05             A8= 0.3548E-05
A10= 0.4092E-06             A10= -0.9655E-07
A12= -0.5420E-07            A12= 0.6063E-09
第15面   K=  0              第25面   K=  0
A4= -0.1400E-02             A4= 0.1983E-02
A6= 0.1214E-04              A6= -0.9054E-04
A8= -0.3668E-05             A8= 0.3683E-05
A10= -0.3237E-06            A10= -0.7281E-07
A12= 0.0000E+00             A12= 0.0000E+00
第20面   K=  0 
A4= -0.2416E-02 
A6= 0.2907E-05 
A8= 0.3953E-04 
A10= -0.7100E-05  
A12= 0.4748E-06  
第21面   K=  0 
A4= -0.2346E-03  
A6= -0.1964E-04  
A8= 0.4351E-04 
A10= -0.7082E-05 
A12= 0.4704E-06 
【００８４】
図１２は実施例６のズームレンズの断面図であり、図１２（ａ）は広角端における断面図であり、図１２（ｂ）は中間における断面図であり、図１２（ｃ）は望遠端における断面図である。図中Ｇ１は正の屈折力を有する第１レンズ群、Ｇ２は負の屈折力を有する第２レンズ群、Ｇ３は正の屈折力を有する第３レンズ群、Ｇ４は負の屈折力を有する第４レンズ群、Ｇ５は正の屈折力を有する第５レンズ群であり、この順序で物体側から配置されている。第１レンズ群Ｇ１は、負レンズＬ１と正レンズＬ２を接合させた接合レンズと、正レンズＬ３とからなる。第２レンズ群Ｇ２は、負レンズＬ４と，負レンズＬ５と、正レンズＬ６とからなる。第３レンズ群Ｇ３は、絞りＳと，正レンズＬ７と、正レンズＬ８と負レンズＬ９とを接合させた接合レンズと、正レンズ１０とからなる。第４レンズ群Ｇ４は、負レンズＬ１１のみからなる。第５レンズ群Ｇ５は、プラスチック製の正レンズＬ１２のみからなる。Ｉは撮像面を示す。また、Ｆ１、Ｆ２は光学的ローパスフィルタやＩＲカットフィルタ、固体撮像素子のシールガラス等を想定した平行平板を示す。
【００８５】
実施例６のズームレンズでは、変倍に際し、第１レンズ群Ｇ１、第２レンズ群Ｇ２、第３レンズ群Ｇ３、第４レンズ群Ｇ４が光軸方向に沿って移動し、各レンズ群の間隔を変えることにより変倍を行うことが出来る。第５レンズ群Ｇ５は固定されている。また、第４レンズ群Ｇ４を移動させることによって無限遠から有限距離の範囲の合焦（フォーカシング）を行うことが出来る。更に、第２レンズ群Ｇ２又は第３レンズ群Ｇ３のいずれか一方を光軸直交方向に変位させることで、像ぶれ補正を行える。実施例６では、変倍比が１６．８であり、ｎｄ＞１．９を満たすレンズは、第１レンズ群Ｇ１の面番号１であり、第２レンズ群Ｇ２の面番号１１であり、第３レンズ群Ｇ３の面番号１８である。なお、面番号２，１７は接着剤を意味する。
【００８６】
図１３は実施例６のズームレンズの収差図（球面収差、非点収差、歪曲収差）である。ここで、図１３（ａ）は広角端における収差図である。図１３（ｂ）は中間における収差図である。図１３（ｃ）は望遠端における収差図である。
【００８７】
（実施例７）
実施例７のレンズデータを表７に示す。
【００８８】
（表７）
実施例7  
f(全系の焦点距離)=4.62-22.97-96.60 
Fno=3.45-5.64-6.42 
2ω(画角)=79.72°-19.06°-4.57° 
Y(像高)=3.169-3.951-3.965 
面番号  R(mm)   D(mm)   Nd          νd
1       82.833  0.90    1.903700    31.32
2       30.491  0.01    1.514000    42.83
3       30.491  3.17    1.497000    81.61
4     -100.347  0.15  
5       26.351  2.13    1.729200    54.67
6      106.269    d1  
7*      28.866  0.50    1.801400    45.45
8*      5.562   3.21 
9     -10.037   0.50    1.729200    54.67
10      71.847  0.20 
11      17.862  1.17    1.945900    17.98
12    -907.683    d2   
13(絞り)  無限  0.70 
14*     6.428   1.45    1.622600    58.16
15*    16.210   0.20 
16      7.243   1.85    1.497000    81.61
17    -22.354   0.01    1.514000    42.83
18    -22.354   0.50    1.910800    35.25
19      9.440   0.50  
20*    15.113   1.22    1.589100    61.25
21*   -15.376     d3  
22*   -21.584   0.50    1.530500    55.72
23*    13.067     d4  
24*    9.695    2.27    1.530500    55.72
25*   -168.285  0.50  
26      無限    0.30    1.516800    64.2
27      無限    1.00    
28      無限    0.50    1.516800    64.2
29      無限      fB
1群：1面〜6面 
2群：7面〜12面  
3群：13面〜21面 
4群：22面〜23面 
5群：24面〜25面  
各ポジションの焦点距離、Fナンバー、群間 
f       Fno     d1      d2      d3      d4      fB
4.62    3.45    0.30    22.66   5.56    3.68    1.00 
22.97   5.64    13.26   5.86    13.51   5.51    1.01 
96.60   6.42    28.20   0.60    10.03   11.73   0.99 
入射瞳位置、射出瞳位置(共にL1から像側が正)、 
前側主点位置、後側主点位置(共にL1から像側が正) 
ENTP    EXTP    H1      H2 
12.25   -28.08  16.13   52.01    
38.78   -79.05  55.16   39.61  
156.69  150.97  315.52  -21.62 
レンズ群データ  
レンズ群    始面    焦点距離(mm)  
1           1       42.29 
2           7       -6.70 
3          13       10.82  
4          22      -15.27 
5          24       17.36  
非球面係数  
第7面    K=  0              第22面  K=  0
A4= -0.2937E-03             A4= 0.2316E-02
A6= -0.9838E-05             A6= -0.1534E-03
A8= 0.5488E-06              A8= 0.1727E-05
A10= -0.6618E-08            A10= -0.2741E-05
A12= -0.4092E-11            A12= 0.2664E-06
第8面    K=  0              第23面  K=  0
A4= -0.3716E-03             A4= 0.2232E-02
A6= -0.2349E-04             A6= -0.6381E-04
A8= 0.4185E-06              A8= -0.2211E-04
A10= -0.2425E-07            A10= 0.7219E-06
A12= 0.1627E-08             A12= 0.6778E-07
第14面   K=  0              第24面   K=  0
A4= 0.2778E-04              A4= 0.2868E-03
A6= 0.1484E-04              A6= 0.1325E-05
A8= -0.4344E-06             A8= -0.2087E-05
A10= 0.2000E-06             A10= 0.6306E-07
A12= -0.1087E-07            A12= -0.1719E-08
第15面   K=  0              第25面   K=  0
A4= -0.9031E-04             A4= 0.1160E-02
A6= 0.3283E-04              A6= -0.6786E-04
A8= -0.2145E-06             A8= -0.5433E-06
A10= -0.3010E-07            A10= 0.1322E-07
A12= 0.0000E+00             A12= 0.0000E+00
第20面   K=  0  
A4= -0.9623E-03  
A6= 0.7784E-04  
A8= 0.2933E-04  
A10= -0.7365E-05  
A12= 0.4748E-06 
第21面   K=  0  
A4= 0.4079E-03  
A6= 0.6379E-04  
A8= 0.3184E-04  
A10= -0.7161E-05 
A12= 0.4704E-06  
【００８９】
図１４は実施例７のズームレンズの断面図であり、図１４（ａ）は広角端における断面図であり、図１４（ｂ）は中間における断面図であり、図１４（ｃ）は望遠端における断面図である。図中Ｇ１は正の屈折力を有する第１レンズ群、Ｇ２は負の屈折力を有する第２レンズ群、Ｇ３は正の屈折力を有する第３レンズ群、Ｇ４は負の屈折力を有する第４レンズ群、Ｇ５は正の屈折力を有する第５レンズ群であり、この順序で物体側から配置されている。第１レンズ群Ｇ１は、負レンズＬ１と正レンズＬ２を接合させた接合レンズと、正レンズＬ３とからなる。第２レンズ群Ｇ２は、負レンズＬ４と，負レンズＬ５と、正レンズＬ６とからなる。第３レンズ群Ｇ３は、絞りＳと，正レンズＬ７と、正レンズＬ８と負レンズＬ９とを接合させた接合レンズと、正レンズ１０とからなる。第４レンズ群Ｇ４は、負レンズＬ１１のみからなる。第５レンズ群Ｇ５は、プラスチック製の正レンズＬ１２のみからなる。Ｉは撮像面を示す。また、Ｆ１、Ｆ２は光学的ローパスフィルタやＩＲカットフィルタ、固体撮像素子のシールガラス等を想定した平行平板を示す。
【００９０】
実施例７のズームレンズでは、変倍に際し、第１レンズ群Ｇ１、第２レンズ群Ｇ２、第３レンズ群Ｇ３、第４レンズ群Ｇ４が光軸方向に沿って移動し、各レンズ群の間隔を変えることにより変倍を行うことが出来る。第５レンズ群Ｇ５は固定されている。また、第４レンズ群Ｇ４を移動させることによって無限遠から有限距離の範囲の合焦（フォーカシング）を行うことが出来る。更に、第２レンズ群Ｇ２又は第３レンズ群Ｇ３のいずれか一方を光軸直交方向に変位させることで、像ぶれ補正を行える。実施例７では、変倍比が２０．９であり、ｎｄ＞１．９を満たすレンズは、第１レンズ群Ｇ１の面番号１であり、第２レンズ群Ｇ２の面番号１１であり、第３レンズ群Ｇ３の面番号１８である。なお、面番号２，１７は接着剤を意味する。
【００９１】
図１５は実施例７のズームレンズの収差図（球面収差、非点収差、歪曲収差）である。ここで、図１５（ａ）は広角端における収差図である。図１５（ｂ）は中間における収差図である。図１５（ｃ）は望遠端における収差図である。
【００９２】
各条件式に対応する各実施例の値を表８に示す。
【００９３】
【表８】
2014115470.tif 000004
【００９４】
本発明は、明細書に記載の実施形態・実施例に限定されるものではなく、他の実施例・変形例を含むことは、本明細書に記載された実施形態や実施例や技術思想から本分野の当業者にとって明らかである。明細書の記載及び実施例は、あくまでも例証を目的としており、本発明の範囲は後述するクレームによって示されている。例えば、実質的にパワーを持たないダミーレンズを更に付与した場合でも本発明の適用範囲内である。又、ズームレンズを沈胴可能としてもよい。
【符号の説明】
【００９５】
１            デジタルカメラ
２            撮像部
３            カメラ本体部
４            フラッシュ発光部
５            シャッタボタン
６            表示部
７            ＥＶＦ
８            切換スイッチ
９            ズームスイッチ
Ｇ１〜Ｇ５    レンズ群
Ｌ１〜Ｌ１２  レンズ
【図１】
2014115470.tif 000005
【図２】
2014115470.tif 000006
【図３】
2014115470.tif 000007
【図４】
2014115470.tif 000008
【図５】
2014115470.tif 000009
【図６】
2014115470.tif 000010
【図７】
2014115470.tif 000011
【図８】
2014115470.tif 000012
【図９】
2014115470.tif 000013
【図１０】
2014115470.tif 000014
【図１１】
2014115470.tif 000015
【図１２】
2014115470.tif 000016
【図１３】
2014115470.tif 000017
【図１４】
2014115470.tif 000018
【図１５】
2014115470.tif 000019
【国際調査報告】
2014115470.tif 000020
2014115470.tif 000021
2014115470.tif 000022
2014115470.tif 000023